(57)【要約】【課題】五本の指先の全てを被覆して保温性を維持しつつ、安価で伸縮性が高く手指を動かしやすく、操作時に取り外さずに静電容量式タッチパネルの操作が可能な手袋を提供する。【解決手段】掌部１１に五本の指袋部１２が一体に形成され、表裏自在かつ伸縮自在に使用される手袋１０であって、指袋部１２のうち、人差し指部１３の第一関節部の先端部２１のみに導電部３１が形成され、かつ、親指部１４の第一関節部の先端部２２のみに導電部３２が形成され、両導電部は炭素繊維又は銀繊維の導電性繊維が織り込まれて形成される。【選択図】図１
0003168219.tif 000002
【実用新案登録請求の範囲】
【請求項１】
掌部に五本の指袋部が一体に形成され、表裏自在かつ伸縮自在に使用される手袋であって、前記指袋部の先端部に導電性繊維が織り込まれた導電部を有することを特徴とする手袋。
【請求項２】
前記指袋部の人差し指部と親指部に前記導電部が形成されている請求項１に記載の手袋。
【請求項３】
前記導電部が前記指袋部の第一関節部のみに形成されている請求項１に記載の手袋。
【請求項４】
前記導電性繊維が炭素繊維又は銀繊維である請求項１ないし３のいずれか１項に記載の手袋。
【請求項５】
前記手袋が静電容量式タッチパネルに用いられる請求項１ないし４のいずれか１項に記載の手袋。
【考案の詳細な説明】
【技術分野】
【０００１】
本考案は手袋に関し、特に装着したまま静電容量方式のタッチパネルを操作することができる手袋に関する。
【背景技術】
【０００２】
近年、タッチパネル技術を応用した機器の開発が進み、物理的な操作ボタンを省略したタッチパネルからの操作が中心の携帯電話機やタブレットＰＣなどの携帯用情報機器が増加している。これらの機器のタッチパネルには、指等で画面を押したときの圧力を感知する抵抗膜方式や静電容量方式などがある。現在、携帯電話機やタブレットＰＣなどの携帯用情報機器に最も用いられる操作方式のひとつである静電容量方式は、指先と情報機器画面間における静電容量の変化を検知し位置を特定するものである。このことから、指と画面との間に非通電性素材が介在すると操作上のエラーが生じてしまう。
【０００３】
したがって、従来から一般に用いられてきた綿、羊毛、化繊等のみで作られた手袋を装着したままではタッチパネルを操作することができない。そのため、操作を行うたびに手袋の脱着を繰り返さなければならず煩雑である。
【０００４】
そこで、タッチパネルと接する指先部分のみを露出した手袋も提案されている。しかしながら、指先が露出することになるため、手袋全体としてみると指先部分の保温性に劣る問題を内包している。
【０００５】
上記の点への対応として、導電性繊維の手袋への応用も提案されている（特許文献１等参照）。この特許文献１の手袋は、精密機器や光学機器等の組立工程、検品、清掃工程を行う作業員が装着する作業用手袋、もしくはレンズ、宝石、食器、装飾品等の取り扱いや清掃に好適な作業用手袋である。手のひら側や手の甲側までもが導電性の高いフィラメントで構成されている布地である。
【０００６】
しかし、特許文献１の手袋のように、手袋のほぼ全体に導電性繊維が使用されているため、手袋自体の単価は高くなる。その結果、誰もが買い求めやすい手頃な価格の実現が難しい。特に、前出のタッチパネルを備えた機器の普及と歩調を合わせるためには、価格を抑えた上で提供する必要がある。
【先行技術文献】
【特許文献】
【０００７】
【特許文献１】特開平１０−３３１０１０号公報
【考案の概要】
【考案が解決しようとする課題】
【０００８】
本考案は前記の点に鑑みなされたものであり、五本の指先の全てを被覆して保温性を維持しつつ、安価で伸縮性が高く手指を動かしやすく、操作時に取り外さずに静電容量式タッチパネルの操作が可能な手袋を提供するものである。
【課題を解決するための手段】
【０００９】
すなわち、請求項１の考案は、掌部に五本の指袋部が一体に形成され、表裏自在かつ伸縮自在に使用される手袋であって、前記指袋部の先端部に導電性繊維が織り込まれた導電部を有することを特徴とする手袋に係る。
【００１０】
請求項２の考案は、前記指袋部の人差し指部と親指部に前記導電部が形成されている請求項１に記載の手袋に係る。
【００１１】
請求項３の考案は、前記導電部が前記指袋部の第一関節部のみに形成されている請求項１に記載の手袋に係る。
【００１２】
請求項４の考案は、前記導電性繊維が炭素繊維又は銀繊維である請求項１ないし３のいずれか１項に記載の手袋に係る。
【００１３】
請求項５の考案は、前記手袋が静電容量式タッチパネルに用いられる請求項１ないし４のいずれか１項に記載の手袋に係る。
【考案の効果】
【００１４】
請求項１の考案に係る手袋は、掌部に五本の指袋部が一体に形成され、表裏自在かつ伸縮自在に使用される手袋であって、前記指袋部の先端部に導電性繊維が織り込まれた導電部を有するため、表裏を入れ替えることで左右どちらの手でも、さらには手の大きさに関わらず装着することができ手指を動かしやすくすることができる。そして、左右の規格を共通化することにより製造を簡素化することができ、低価格の実現が可能となる。
【００１５】
また、指部の先端部が導電性繊維によって形成されているため、先端部は通電性を有し、指先の静電気を通し、手袋を装着した状態のまま静電容量方式のタッチパネルを簡単に操作することができる。特に、手指の全てを被覆する手袋であるため、保温性にも優れる。
【００１６】
請求項２の考案に係る手袋によると、請求項１の考案において、前記指袋部の人差し指部と親指部に前記導電部が形成されているため、タッチパネル式携帯型情報機器を操作するため最も頻繁に使う二指による操作が可能になる。
【００１７】
請求項３の考案に係る手袋によると、請求項１の考案において、前記導電部が前記指袋部の第一関節部のみに形成されているため、タッチパネルの操作に必要とされる部分に限定して導電性繊維を織り込むことができる。結果的に高価な導電性繊維の使用量を少なくして、安価に手袋を製造することができる。
【００１８】
請求項４の考案に係る手袋によると、請求項１ないし３のいずれかの考案において、前記導電性繊維が炭素繊維又は銀繊維であるから既存の導電性繊維を使用した製造が可能である。
【００１９】
請求項５の考案に係る手袋によると、請求項１ないし３のいずれかの考案において、前記手袋が静電容量式タッチパネルに用いられるため、手袋を着用したままでの当該方式のタッチ操作が可能となり、手袋の着脱の煩雑さを解消することができる。
【図面の簡単な説明】
【００２０】
【図１】本考案の第１実施例に係る手袋の正面図である。
【図２】図１の手袋の使用状態を示す斜視図である。
【図３】本考案の第２実施例に係る手袋の正面図である。
【考案を実施するための形態】
【００２１】
図１に示す第１実施例の手袋１０の構造から説明する。請求項１の考案に規定するように、まず、手袋１０において着用者の手の平と手の甲を覆う掌部１１が設けられる。着用者の指を覆う５本の指袋部１２は掌部１１に一体に形成される。掌部１１と個々の指袋部１２は連続としても事後的に縫合しても良い。実施例の手袋１０（後出の手袋１０Ａも同様）では生産効率の点から無縫製ニット（ホールガーメント（登録商標））の加工により一体に仕上げられる。
【００２２】
手袋１０は左右のいずれの手にも使用できるように表裏自在に構成される。したがって、表裏の区別はなく対称である。反対面側の図示を省略した。また、着用者の手の大きさに対応するため伸縮自在の縫製としている。そこで、伸縮性ある糸を用いて適宜編み上げられる。例えば、綿糸、羊毛、アクリル系繊維、ナイロン系繊維などに糸状のゴムを加えた混紡糸が利用される。
【００２３】
手袋１０は、考案の解決課題にあるように、タッチパネル操作を目的としている。このため、少なくともタッチパネルと直に接触する部分は導電性を確保する必要がある。そこで、指袋部１２の先端部２１，２２に導電性繊維が織り込まれて導電部が形成される。
【００２４】
手袋１０の形状から把握されるように、五本の手指の全てを被覆する構造である。従来の手袋のように指先部分を省略した形状と異なり指先の露出はない。そのため、手指全体での保温性に優れる。
【００２５】
この実施例の手袋１０においては、請求項２の考案に規定するように、指袋部１２のうち、人差し指部１３の先端部２１が導電部３１として構成され、かつ、親指部１４の先端部２２が導電部３２として形成される。このように、人差し指部１３と親指部１４の２本の指部の先端部のみに導電性繊維が織り込まれて導電部が形成される。
【００２６】
一般に、タッチパネルにおける操作を想定した場合、利き手の人差し指のみ、あるいは人差し指と親指を画面に接触させて操作することが多い。そうすると、最も使用頻度の高い指の指袋部に導電部を設け、残りの指袋部への導電部の形成を省略しても特段の不都合は生じないと考えることができる。このように、使い勝手を悪くすることなく、後出の導電性繊維の使用量を少なくして手袋全体の価格を抑えることができる。
【００２７】
さらに、請求項３の考案に規定するように、導電部は指袋部の第一関節部のみに形成される。図示の手袋１０によると、指袋部１２のうち、人差し指部１３と親指部１４の２本の指袋部の第一関節部のみに導電部３１，３２は形成される。この第１実施例の手袋１０は、第一関節部の導電部３１，３２を強調した意匠（デザイン）とするため、糸の配色を掌部１１と他の指袋部１２と異ならせている。
【００２８】
タッチパネルとの間で静電気を通電するために必要となる導電部は、実質的に手袋の指袋部先端のごく一部で足りる。しかし、実際のタッチパネルの操作時では、画面との接触角や部位のばらつきが大きい。また、あらゆる体格（手の大きさ）の着用者を想定した場合、導電部が小さすぎるとタッチパネルの操作性が悪化する。加えて、本考案の手袋は表裏自在であり左右の区別のない使用を前提としている。
【００２９】
そう考えると、左右いずれの手への着用時であっても何ら支障のないタッチパネルの操作を実現しようとするため、ある程度の面積の導電部を備える必要がある。このことから、少なくとも第一関節部より先の袋状部分全体に導電部を形成することが望ましく、前述の最も使用頻度の高い人差し指部１３と親指部１４の第一関節部に限って導電部３１，３２は形成される。このような導電部の形成形態とすることにより、使い勝手に影響を与えることなく、次述の導電性繊維の使用量を少なくすることができ、手袋全体の価格抑制が可能である。
【００３０】
導電部に用いられる導電性繊維は、請求項４の考案に規定するように、炭素繊維又は銀繊維等である。具体的には、繊維の芯部分に炭素フィラメント、銀等の金属、金属酸化物等の導電性物質を有する複合紡糸繊維、繊維表面に銀等の金属を蒸着した繊維、あるいは、純粋な炭素繊維や金属繊維等が例示される。導電性繊維の選択は、価格、導電性能、耐久性等の諸条件を勘案して選択される。
【００３１】
次に、図２を用い第１実施例の手袋１０の使用状態を説明する。同図は請求項５の考案に規定するように、静電容量式タッチパネルの操作に供している状態である。図２の携帯電話機ＭＰでは、その表示部分に静電容量式タッチパネルＴＰが組み込まれている。静電容量方式のタッチパネルは、指先と機器画面の間における静電容量の変化を検知することによって、使用者の指の位置を特定する。通常、手袋を着用した状態では指先の静電容量をタッチパネル表面で検出することができず、そのままでは操作不可能である。
【００３２】
そこで、これまでに詳述してきた手袋１０のように、人差し指部１３の導電部３１と親指部１４の導電部１４に織り込まれた導電性繊維により、指先の静電気はタッチパネル側へ通電可能となる。図示の例では、手袋１０を着用した使用者は、人差し指部１３と親指部１４を動かすことによって静電容量式タッチパネルＴＰ内の画像、アイコンの選択、大きさの変更を自由に行うことができる。
【００３３】
このように、図示の携帯電話機をはじめ、各種のタブレットＰＣなど静電容量式タッチパネルを搭載する情報機器の画面に対して手袋を装着したまま親指や人差し指により操作をすることができる。よって、操作時の手袋の着脱の煩雑さは解消される。
【００３４】
図３は第２実施例の手袋１０Ａの正面図である。手袋１０Ａの掌部１１及び指袋部１２の構成は前述の手袋１０と同様である。また、人差し指部１３の導電部３１及び親指部１４の導電部３２における導電性繊維の織り込みについても同様である。手袋１０Ａの特徴は、人差し指部１３と親指部１４の２本の指部に形成される導電部３１，３２を手袋１０Ａ全体と同色にして、導電部を目立たせなくしていることである。指先部分の配色が異なる点が気になる手袋着用者の意匠上の好みに合わせるためである。なお、図示はしないものの、手袋全体を水玉模様、縞模様（ストライプ）、その他の模様に仕上げることも自由である。
【符号の説明】
【００３５】
１０，１０Ａ    手袋
１１    掌部
１２    指袋部
１３    人差し指部
１４    親指部
２１    人差し指部の先端部
２２    親指部の先端部
３１    人差し指部の導電部
３２    親指部の導電部
ＭＰ    携帯電話端末
ＴＰ    タッチパネル
【図１】
0003168219.tif 000003
【図２】
0003168219.tif 000004
【図３】
0003168219.tif 000005